(57)【要約】【課題】内部の熱を排出させることができる防水、防湿及び防塵性能を備えたブリックランプの防水・空気透過装置を提供する。【解決手段】ブリックランプの防水・空気透過装置のブリックランプ１は、ソーラエネルギモジュールを収容する収容凹溝１１１を有する透光外筐体１１と、複数のＬＥＤランプを有する回路基板１３と、回路基板１３の背面に設けられた蓄電ユニット１５とを備える。蓄電ユニット１５は、ソーラエネルギモジュール及びＬＥＤランプとそれぞれ接続され、ソーラエネルギモジュールにより収集した電力が供給されると、ＬＥＤランプが発光する。収容凹溝１１１内にシール材が注入された後、隔離板１６により覆われる。隔離板１６には、内外に通じる貫通孔１０が形成される。貫通孔１０には、防水・空気透過装置２が取り付けられる。防水・空気透過装置２は、薄膜層及び接着層を含む。【選択図】図１
0003194508.tif 000002
【実用新案登録請求の範囲】
【請求項１】
ブリックランプの防水・空気透過装置であって、
前記ブリックランプは、
ソーラエネルギモジュールを収容する収容凹溝を有する透光外筐体と、
複数のＬＥＤランプを有する回路基板と、
前記回路基板の背面に設けられた蓄電ユニットと、を備え、
前記蓄電ユニットは、前記ソーラエネルギモジュール及び前記ＬＥＤランプとそれぞれ接続され、前記ソーラエネルギモジュールにより収集した電力が供給されると、前記ＬＥＤランプが発光し、前記収容凹溝内にシール材が注入された後、隔離板により覆われ、前記隔離板には、内外に通じる貫通孔が形成され、前記貫通孔には、防水・空気透過装置が取り付けられ、前記防水・空気透過装置は、薄膜層及び接着層を含み、前記薄膜層は、防水及び空気透過機能を有する膜層であり、前記接着層は、前記薄膜層下の外周縁に形成され、前記ブリックランプに形成された前記貫通孔の周縁に接着されることを特徴とする、
ブリックランプの防水・空気透過装置。
【請求項２】
前記薄膜層上には、生地層が形成されることを特徴とする請求項１に記載のブリックランプの防水・空気透過装置。
【請求項３】
前記防水・空気透過装置の前記薄膜層の耐水圧は６０ｍｂａｒ以上であることを特徴とする請求項１に記載のブリックランプの防水・空気透過装置。
【考案の詳細な説明】
【技術分野】
【０００１】
本考案は、ブリックランプの防水・空気透過装置に関し、特に、屋外の地面、壁などに取り付けて使用する照明用ブリックランプに応用し、内部の熱を排出させることができる防水、防湿及び防塵性能を備えたブリックランプの防水・空気透過装置に関する。
【背景技術】
【０００２】
一般に屋内又は屋外の景観環境（例えば、庭園、造型壁など）において照明器具を取り付ける場合、雰囲気を盛り上げるための光源により景観が遮られて見えづらくなるなどの問題点を改善するために、埋め込み式ライトが使用されることが一般的である。この埋め込み式ライトは、主にランプホルダと、ランプホルダ中に設けられた少なくとも１つの発光体と、ランプホルダと接合されたランプカバーとから構成される。この埋め込み式ライトのランプカバーは、景観に悪影響を与えないように、表面が平らか略平らに形成され、地面又は壁に埋め込まれている。
【０００３】
さらに歩道上、道路の地面、又は公園、中庭に埋設されるブリックランプというものもあり、このブリックランプとは、路面の装飾物であり、特に大量のランプを発光させると、夜景が美しくなる上、歩行者が歩きやすいように明るくしたり歩くルートを表したりするために用いられる。
一般によく使用されるブリックランプは、電球又は多数の発光ダイオードを光源として用い、ねじを用いて金属製台座に螺着した後、電線により直流電源に接続され、電球又は発光ダイオードを発光させる。
特許文献１は、耐圧性能を有する光透過性材料により製作され、その構造は中空状で外壁上に凸縁が形成された本体と、本体内に設置されて複数の異なる発光色を有する発光ダイオードと、制御回路を上に有する回路基板とを含んだ発光モジュールと、前述の回路基板と接続された充電電池と、前述の回路基板と接続された太陽エネルギチップと、前述の本体底部を密封する隔離層と、を含む。
【０００４】
一般に発光モジュールには発光ダイオードランプが用いられ、近年、輝度に対する要求が高まっており、高輝度かつ高パワーの発光ダイオードが次第に普及しているが、高輝度かつ高パワーの発光ダイオードが発光すると熱が発生し、ブリックランプ内に配設された場合、放熱装置を設置しなければＬＥＤランプの使用寿命が短くなる虞がある。
前述の放熱問題以外には、ＬＥＤランプが屋外の地面又は壁面に埋め込まれているため、雨、埃及び湿気に対する対策を行う必要があった。
この問題点に鑑み、発光ブリックランプの内部にシリコーンゲルを充填することが一般的であるが、高温状態のときにシリコーンゲルが膨張して内部の空気が排出されなくなると、完成品の表面に気泡が生じて光電変換効率に悪影響を与えることがあった。また、低温状態のときにはシリコーンゲルの収縮により空気が膨張しなくなり、完成品の内部に内部応力が生じて亀裂が発生する虞があった。
【０００５】
従来技術の「完全密封式発光ブリックランプ」に気泡及び亀裂が生じる問題点を改善するために、アクリルカバー板に孔を形成し、この孔を利用して排気を行うが、この孔を介して外部からランプに水気、液体、粉塵が入り込む欠点があった。
上述したことから分かるように、従来のブリックランプには多くの不便な点があったため、空気透過、防水、防塵機能を有し、高温膨張状態でも排気させて気泡が生じることを防ぎ、低温状態でも外部から気体が均一に入るようにし（湿気は入らないようにする）、シリコーンゲルの収縮により内部応力が発生して亀裂が生じ、完成品の機能に悪影響を与えるブリックランプを製作することにより、自然環境の汚染及びコストの上昇を防ぐことができるブリックランプが求められていた。
【先行技術文献】
【特許文献】
【０００６】
【特許文献１】台湾実用新案登録第２８３９５１号公報
【考案の概要】
【考案が解決しようとする課題】
【０００７】
本考案の目的は、屋外の地面、壁などに取り付けて使用する照明用ブリックランプに応用し、内部の熱を排出させることができる防水、防湿及び防塵機能を備えたブリックランプの防水・空気透過装置を提供することにある。
【課題を解決するための手段】
【０００８】
上記課題を解決するために、本考案の第１の形態によれば、ブリックランプの防水・空気透過装置であって、前記ブリックランプは、ソーラエネルギモジュールを収容する収容凹溝を有する透光外筐体と、複数のＬＥＤランプを有する回路基板と、前記回路基板の背面に設けられた蓄電ユニットと、を備え、前記蓄電ユニットは、前記ソーラエネルギモジュール及び前記ＬＥＤランプとそれぞれ接続され、前記ソーラエネルギモジュールにより収集した電力が供給されると、前記ＬＥＤランプが発光し、前記収容凹溝内にシール材が注入された後、隔離板により覆われ、前記隔離板には、内外に通じる貫通孔が形成され、前記貫通孔には、防水・空気透過装置が取り付けられ、前記防水・空気透過装置は、薄膜層及び接着層を含み、前記薄膜層は、防水及び空気透過機能を有する膜層であり、前記接着層は、前記薄膜層下の外周縁に形成され、前記ブリックランプに形成された前記貫通孔の周縁に接着されることを特徴とするブリックランプの防水・空気透過装置が提供される。
【０００９】
前記薄膜層上には、生地層が形成されることが好ましい。
【００１０】
前記防水・空気透過装置の前記薄膜層の耐水圧（ｍａｔｅｒｉａｌ  ｗａｔｅｒ  ｅｎｔｒｙ  ｐｒｅｓｓｕｒｅ）は６０ｍｂａｒ以上であることが好ましい。
【図面の簡単な説明】
【００１１】
【図１】本考案の一実施形態に係るブリックランプを示す分解斜視図である。
【図２】本考案の一実施形態に係るブリックランプを示す断面図（１）である。
【図３】本考案の一実施形態に係るブリックランプを示す断面図（２）である。
【図４】本考案の一実施形態に係るブリックランプを使用するときの状態を示す断面図（１）である。
【図５】本考案の一実施形態に係るブリックランプを使用するときの状態を示す断面図（２）である。
【図６】本考案の一実施形態に係るブリックランプを使用するときの状態を示す断面図（３）である。
【考案を実施するための形態】
【００１２】
以下、本考案の実施形態について図に基づいて説明する。なお、これによって本考案が限定されるものではない。
【００１３】
まず、図１及び図２を参照する。図１及び図２に示すように、本考案の一実施形態に係るブリックランプ１には、内外に通じる貫通孔１０が形成されている。貫通孔１０には、防水・空気透過装置２が取り付けられる。防水・空気透過装置２は、薄膜層２１及び接着層２２を含む。
【００１４】
薄膜層２１は、防水及び空気透過機能を備えた膜層である。
【００１５】
接着層２２は、薄膜層２１下の外周縁に形成され、ブリックランプ１に形成された内外に通じる貫通孔１０の周縁に接着される。
【００１６】
防水・空気透過装置２は、上述した方式以外に、勿論、薄膜層２１の伸張効果を考慮し、薄膜層２１上に生地層２３を形成してもよい。生地層２３は、支持効果を有する布材であり、薄膜層２１上に結合されてもよい（図３参照）。
【００１７】
図１及び図４を参照する。図１及び図４に示すように、本考案の一実施形態に係るブリックランプ１は、少なくとも透光外筐体１１、ソーラエネルギモジュール１２、回路基板１３、複数のＬＥＤランプ１４、蓄電ユニット１５及び隔離板１６から構成される。透光外筐体１１には、収容凹溝１１１が形成される。回路基板１３上には、複数のＬＥＤランプ１４が配設され、ソーラエネルギモジュール１２が上端に取り付けられ、回路基板１３の背面には蓄電ユニット１５が設けられている。
蓄電ユニット１５は、ソーラエネルギモジュール１２及びＬＥＤランプ１４とそれぞれ接続され、ソーラエネルギモジュール１２により収集した電力が供給されると、複数のＬＥＤランプ１４が発光する。透光外筐体１１の収容凹溝１１１には、ソーラエネルギモジュール１２、回路基板１３、ＬＥＤランプ１４及び蓄電ユニット１５が収容され、シール材１７を注入した後、隔離板１６により覆う。
【００１８】
本考案を実際に使用する際、防水・空気透過装置２は、内外に通じる貫通孔１０が形成されたブリックランプ１上の何れの位置にも貼着させることができる。この位置は例えば、透光外筐体１１又は隔離板１６上でもよい。以下詳説する。
【００１９】
図１〜図４を参照する。図１〜図４に示すように、本考案の一実施形態に係る防水・空気透過装置２は、隔離板１６に対応して配設される。隔離板１６には、ブリックランプ１の内外に通じる貫通孔１０が形成されている。貫通孔１０には、防水・空気透過装置２が対応して貼着される。接着層２２は、隔離板１６上の貫通孔１０の周縁に対応して接着される。薄膜層２１を貫通孔１０に対応させ、防水・空気透過装置２を介してブリックランプ１内の高熱を排出し、外部の水分、埃を隔離することにより、防水、防塵及び防潮機能を得る。
【００２０】
図２、図３及び図５を参照する。図２、図３及び図５に示すように、本考案の一実施形態に係る防水・空気透過装置２は、対応するように透光外筐体１１上に設置される。
本実施形態の透光外筐体１１の頂面には、ブリックランプ１の内外に通じる貫通孔１０が形成されている。この貫通孔１０には、対応した防水・空気透過装置２が貼着され、接着層２２は、透光外筐体１１上の貫通孔１０の周縁に対応して貼着され、薄膜層２１を貫通孔１０に対応させ、防水・空気透過装置２を介してブリックランプ１内部の高熱を排出し、外部の水分、塵を隔離して防水、防塵及び防潮機能を得る。
【００２１】
図２〜図６に示すように、防水・空気透過装置２は、透光外筐体１１上に対応して配設され、この実施形態の透光外筐体１１の側周縁には、ブリックランプ１の内外に通じる貫通孔１０が形成されている。この貫通孔１０には、防水・空気透過装置２が対応するように貼着され、接着層２２により透光外筐体１１上の貫通孔１０の周縁に対応して貼着され、薄膜層２１が貫通孔１０に対応し、防水・空気透過装置２を介してブリックランプ１内の高温を排出し、外部からの水分、塵を隔離して防水、防塵及び防潮機能を得る。
【００２２】
本考案の一実施形態に係るブリックランプの防水・空気透過装置２の薄膜層２１の耐水圧（ｍａｔｅｒｉａｌ  ｗａｔｅｒ  ｅｎｔｒｙ  ｐｒｅｓｓｕｒｅ）は、６０ｍｂａｒ以上であるが、好ましくは６０ｍｂａｒ〜８０ｍｂａｒの範囲内である。耐水圧は、一定レベル以上に達するように制御されるため、内部のシリコーンゲルが高低温状態下で気泡又は亀裂が発生することはない。
【００２３】
上述したことから分かるように、本考案のブリックランプの防水・空気透過装置は、以下（１）〜（４）の長所を有する。
（１）薄膜層の特性を利用し、防水、防塵、防潮及び放熱効果を得る。
（２）接着層を形成する簡易な貼着方式により防水・空気透過装置を固定させることができるため、製作が容易である。
（３）防水・空気透過装置は、内外に通じる貫通孔を有する箇所であればブリックランプの何れの場所にも設置することができるため便利である。
（４）生地層の形成により、薄膜層を効果的に支持して伸張させながら貼着することができる。
【００２４】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２５】
１      ブリックランプ
２      防水・空気透過装置
１０    貫通孔
１１    透光外筐体
１２    ソーラエネルギモジュール
１３    回路基板
１４    ＬＥＤランプ
１５    蓄電ユニット
１６    隔離板
１７    シール材
２１    薄膜層
２２    接着層
２３    生地層
１１１  収容凹溝
【図１】
0003194508.tif 000003
【図２】
0003194508.tif 000004
【図３】
0003194508.tif 000005
【図４】
0003194508.tif 000006
【図５】
0003194508.tif 000007
【図６】
0003194508.tif 000008